(57)【要約】【課題】従来の携帯電話において、携帯の使用状況を考慮し、携帯性の高いコンパクトかつ軽量の携帯電話を構成することを課題とする。【解決手段】音声情報を送受信する音声通信部１とデータ送受信を行う情報通信部２とにより構成される無線通信装置であって、音声通信部１と情報通信部２とを分離、合体を可能とする。【選択図】        図１
2004274690.tif 000002
【特許請求の範囲】
【請求項１】
音声情報を送受信する音声通信部とデータ送受信を行う情報通信部とにより構成される無線通信装置であって、音声通信部と情報通信部とを分離可能としたことを特徴とする無線通信装置。
【発明の詳細な説明】
【０００１】
【発明の属する技術分野】
本発明は、携帯電話を利用した情報通信の使用性を向上させるための技術に関するものであり、携帯電話の構成に関する。
【０００２】
【従来の技術】
近年、携帯電話はインターネット等の通信網の発達とともに、様々な機能を備えたものが出ている。多くのものは、携帯電話に電子メールの受信機能や、カメラなど、多くの機能を持たせたものである。
その一方で、携帯電話使用者の頭部付近での強い電磁波の発生を防止するべく、基地局との間で電磁波を用いて通信を行う送受信器と、使用者の頭部に近接あるいは装着して使用される送受話器とを互いに分離する携帯電話が知られている。
（例えば、特許文献１参照。）
【０００３】
【特許文献１】
特開２００３−２３３８６号
【０００４】
【発明が解決しようとする課題】
従来の携帯電話においては、多くの機能を付加させるために、コンパクト化が困難であるとともに、使用電力も大きく更なる携帯性を向上させるものではない。そして、特許文献１に示される技術においても、送受信機を分離して使用者を強い電磁波から守るためだけのものであり、多機能の携帯電話の使用状況を十分考慮したものではない。
【０００５】
【課題を解決するための手段】
発明者は、携帯電話と通信技術の現状を考えて、携帯電話をより便利に使用する方法を見出したものである。
無線通信装置である携帯電話において、会話用通信部と、電子メールの送受信やＷＷＷサーバーへの接続を行うためのインターネット通信部とを分離可能な携帯電話を発明するにいたったものである。
携帯電話において、会話用通信部に画像表示部、音声出力部、音声入力部、電話番号記憶手段、電話番号選択手段を設け、音声用送受信装置を設ける。そして、情報通信部であるインターネット通信部に、文字入力手段、演算処理部、記憶手段、データ通信用送受信装置を設けるものである。さらに、会話用通信部およびインターネット通信部に、それぞれ接続部を設け、会話用通信部とインターネット通信部とを接続して、信号の受け渡しもしくは電力の受け渡しを会話用通信部とインターネット通信部との間で可能とするものである。これにより、会話用通信部を独立して使用するとともに、軽量に構成できる。そして、インターネット通信部を独立して利用できるとともに、インターネット通信部の設計上の自由度を高くできる。
また、インターネット通信部を他の表示機器に接続し、表示機器などを利用してインターネットサービスを利用することができる。例えば、インターネット通信部を車のナビゲーション装置などや燃料噴射制御などのエンジン制御をおこなうコンピュータなどに接続することができる。ナビゲーション装置に接続することにより、インターネットを通じて走行地域の情報や渋滞情報などを容易に受信できる。燃料噴射制御をおこなうコンピュータに接続することにより、天気やその地形に応じたエンジン制御を行うことができる。インターネット通信部を利用しながら同時に会話用通信部を利用できる。
【０００６】
すなわち、上記の課題を解決すべく、請求項１に記載のごとく、音声情報を送受信する音声通信部とデータ送受信を行う情報通信部とにより構成される無線通信装置であって、音声通信部と情報通信部とを分離可能とする。
【０００７】
【発明の実施の形態】
次に、本発明の実施の形態について図を用いて説明する。
図１は携帯電話の構成を示す模式図である。
携帯電話は、会話用通信部１およびインターネット通信部２により構成されている。
会話用通信部１は、音声用送受信装置１１、電話番号記憶手段１２、画像表示部１３、音声出力部１４、音声入力部１５、電話番号選択手段１６、接続部１７により構成されている。音声送受信装置１１は、携帯電話の基地局との交信を行うものであり、基地局より電波として送信される音声情報を音声として音声出力部１４に出力するとともに、音声入力部１５より入力された音声を音声情報として基地局に送信するものである。音声送受信装置１１には電話番号選択手段１６が接続されており，電話番号記憶手段１２に記憶されている電話番号を選択し、選択された電話番号に電話をかける構成となっている。
インターネット通信部２には演算処理部２１、データ通信用送受信装置２２、記憶手段２３、文字入力手段２４、接続部２５により構成されている。演算処理部２１はデータ通信用送受信装置２２より入力されたデータ信号を演算処理、文字入力手段２４より入力されたコマンドに従った演算処理を行うものである。演算処理部２１には記憶手段２３に接続されており、記憶手段２３においてメールの内容などを記憶蓄積可能となっている。また、データ通信用送受信装置２２は、携帯電話の基地局との交信を行うものであり、基地局より電波として送信されるデータ信号を演算処理部２１に出力するとともに、演算処理部２１より出力される情報を基地局に送信するものである。
【０００８】
このように構成することにより、会話通信部１およびインターネット通信部２を独立した無線通信端末として利用できるもおのである。図２は利用形態の一例を示す図である。例えば、図２に示すごとく、会話通信部１を携帯して一般的な形態電話として利用するとともに、インターネット通信部２を自動車に設置したカーナビゲーションシステム６１やディスプレイ６２、もしくはカーステレオに接続して、インターネットを介して供給される情報を利用することができる。また、車の位置や状態をインターネットを介して送信することができる。これにより、車を降りて買い物をしている間にも、車への情報のダウンロードを容易に行うことができる。
【０００９】
次に、会話通信部１およびインターネット通信部２の通信構成の一例について、図３を用いて説明する。図３は本実施例における通信構成の一例を示す模式図である。
会話通信部１およびインターネット通信部２は、独立して基地局３１と通信を行うものである。基地局より送信される信号は、携帯電話を識別するＩＤ信号３２と振分信号３３通信信号３４とデータ信号３５とにより構成される。通信信号３４とデータ信号３５の前には振分信号３３が付き、直後に続く信号が通信信号３４もしくはデータ信号３５であることを示すものである。
会話通信部１およびインターネット通信部２においては、設定されたＩＤに一致するＩＤ信号により、自機への通信として判断し、その情報を取り込む。会話通信用通信部１においては、振分信号３３により通話信号３４を認識した信号を受信して音声として再生する。インターネット通信部２においては、振分信号３３によりデータ信号３５を認識した信号をデータと受信する。
会話通信部１およびインターネット通信部２からの送信は、ＩＤ信号３２に振分信号３３を付して、続いて会話通信部１においては通信信号３４を、インターネット通信部２においてはデータ信号３５を送信するものである。
このほかにも、従来用いられている携帯電話の通信方法を利用可能なものである。
【００１０】
なお、会話通信部１およびインターネット通信部２間においても、無線通信を行い、データの送受信を行うことも可能である。通信方法としては電波や、赤外線を用いることが可能であり、会話通信部１とインターネット通信部２との間における通信を暗号化することも可能である。会話通信部１とインターネット通信部２とを直接接続した際に、ランダムにキーを生成し、会話通信部１とインターネット通信部２との間で同期を取ることにより、このキーを会話通信部１およびインターネット通信部２において供給し、共通キーを有する会話通信部１とインターネット通信部２との間において高度な暗号通信が可能となる。また、直接接続によりキーを送受信するので、漏洩の可能性を最小限にとどめることができる。
【００１１】
図４は第二実施例の携帯電話の構成を示す模式図である。
第二の実施例としては、図４に示すごとく、会話用通信部１にのみ送受信装置１１を配設し、インターネット通信部２にも表示手段２６を配置して、インターネット通信部２への通信は送受信装置１１を利用し、メールなどの表示には画像表示部２６を利用することも可能である。会話用通信部１に設ける画像表示部１３は電話番号の識別を行うことが可能であれば良く、１２文字程度表示可能な簡易なものを利用することが可能であり、会話用通信部１をコンパクトかつ軽量に構成することができる。さらに、会話用通信部１おいて記憶手段１２にメールなどの情報を一定量保持させて、インターネット通信部２に接続した際に記憶部１２の情報をインターネット通信部２の記憶手段２３に転送することが可能である。インターネット通信部２に設けた画像表示部２６を大型にすることにより、落ち着いて電子メールを読んだり、デジタル写真や動画を確認することができる。また、暗号化されているメールなどの解読に係る時間を短くできる。
【００１２】
【発明の効果】
請求項１のごとく、携帯電話を構成するので、会話用通信部においては、音声に特化したものを構成でき、コンパクト軽量でありながら、高速かつクリアな音声再生および音声送信を行うことができる。
また、インターネット通信部との情報の混乱を容易に防止することができる。また、暗号化および解読にかかる時間を短縮して、セキュリティーの高い携帯電話を構成できる。
【図面の簡単な説明】
【図１】携帯電話の構成を示す模式図。
【図２】利用形態の一例を示す図。
【図３】本実施例における通信構成の一例を示す模式図。
【図４】第二実施例の携帯電話の構成を示す模式図。
【符号の説明】
１  会話用通信部
２  インターネット通信部
１１  音声用送受信装置
１２  電話番号記憶手段
１３  画像表示部
１４  音声出力部
１５  音声入力部
１６  電話番号選択手段
１７  接続部
２１  演算処理部
２２  データ通信用送受信装置
２３  記憶手段
２４  文字入力手段
２５  接続部
【図１】
2004274690.tif 000003
【図２】
2004274690.tif 000004
【図３】
2004274690.tif 000005
【図４】
2004274690.tif 000006